(57)【要約】【課題】開梱後はごみとして廃棄処理されていた輸送用の梱包箱を再利用した環境に配慮したスタンド型ディスプレイ用の台座を提供すること。【解決手段】台座（２）と、台座の上に取り付けられる１つまたは複数個の板状柱体（３）から成るスタンド型ディスプレイ（１）において、台座（２）は、前記各部品が収納されているダンボール製の梱包箱（５）を封止材（４）を取り除いて開梱、収納物を取り出した後、組み立てて成るものである。【選択図】図４
2004196419.tif 000002
【特許請求の範囲】
【請求項１】
台座と、台座の上に取り付けられる一つ又は複数個の板状柱体からなるスタンド型ディスプレイにおいて、前記台座は、前記各部品が収納されているダンボール製の梱包箱を収納物を取り出した後、組み立ててなることを特徴とする、スタンド型ディスプレイ用台座。
【請求項２】
前記梱包箱は、長方形の底板の長手方向の相対向する二辺に、側板と天板とがそれぞれ折り曲げ線を介して順次連設され、もう一方の相対向する二辺に、第２側板と第２天板とがそれぞれ第２折り曲げ線を介して順次連設され、
前記底板は第２折り曲げ線と平行な２本の罫線により第１底板、第２底板、第３底板に区画され、
底板の中央に区画された第２底板の両隅角より側板を通過して天板の端縁にまで達する先に行くにしたがい広がるミシン目線が穿設され、ミシン目線の外側は折り込み片として区画され、
底板の中央に区画される第２底板の両隅角より側板を通過して天板の略中央部分にまで達する先に行くにしたがい先細る斜め罫線が形成され、該２本の斜め罫線の先端同士は折り曲げ線と平行な第２罫線によりつながり、折り曲げ線、２本の斜め罫線、第２罫線とに囲まれた台形板が区画されるとともに、前記２本の斜め罫線の先端から天板の端縁に達する第２折り曲げ線と平行な２本の第３罫線が形成され、第２罫線から僅かに天板の端縁方向にずれた位置に第２罫線と平行で２本の第３罫線を結ぶ第４罫線が形成され、２本の第３罫線と第２罫線、第４罫線で囲まれた縁板が区画され、第４罫線と第２折り曲げ線と平行な２本の第３罫線とに囲まれた折り返し片が区画され、
折り返し片には２本の第３罫線それぞれを介して差し込み片が区画され、
斜め罫線とミシン目線の間は該斜め罫線に連設し、天板端縁側に曲がりミシン目線が穿設された第２差し込み片として区画され、
第２側板と第２天板の端縁近傍には、第２側板と第２天板を跨ぐように折り返し片に連設された差し込み片が挿入可能な差し込み孔がミシン目線により区画され、
第２天板の差し込み孔が区画された位置より外方に第２折り曲げ線と平行に第５罫線が形成され内方寄りの立脚板と外方寄りの折り返し板とに区画され、
た構成からなるブランクシートを組み立て形成されることを特徴とする、請求項１記載のスタンド型ディスプレイ用台座。
【請求項３】
前記相対向する天板に区画される各台形板、縁板、折り返し片、並びに、前記相対向する第２天板に区画される立脚板、底板に区画される第１底板と第３底板とは、互いに同じ大きさであることを特徴とする、請求項１又は２記載のスタンド型ディスプレイ用台座。
【請求項４】
前記底板に区画される第２底板は第１底板、第３底板よりも大きく区画されていることを特徴とする請求項１、２又は３記載のスタンド型ディスプレイ用台座。
【請求項５】
前記梱包箱は、長方形の底板の長手方向の相対向する二辺に、側板と天板とがそれそれ折り曲げ線を介して順次連設され、もう一方の相対向する二辺に、第２側板と第２天板とがそれぞれ第２折り曲げ線を介して順次連設され、
天板の中央には、天板とそれに連設される側板および底板の一部に跨がる鼓状の台形板が、くの字および逆くの字のつなぎ目線ならびに底板寄りのくの字および逆くの字のつなぎ目線の末端を結ぶ折り曲げ線と平行な第３折り曲げ線により、天板の端縁とそれに対応する底板の第３折り曲げ線を上辺および下辺として区画形成され、前記底板は、前記一対の第３折り曲げ線の先端と末端を結ぶ、第２折り曲げ線と平行な２本の第４折り曲げ線により、一方の端縁から順次、第１底板、第２底板、第３底板に区画され、第１底板および第３底板の両端縁は第２底板を区画する第３折り曲げ線より側板寄りに第３折り曲げ線と平行なつなぎ目線として第２側板および第２天板の端縁まで延長して設けられ、
前記鼓状の台形板の中央には、台形板の上辺および下辺と垂直方向につなぎ目線による長孔が区画形成され、
ていることを特徴とする、請求項１記載のスタンドディスプレイ用台座。
【請求項６】
前記一対の第２天板の端縁には、台座に組み立てた際、台形板に設けた長孔に対応する位置に切り欠き溝が設けられていることを特徴とする、請求項５記載のスタンドディスプレイ用台座。
【請求項７】
前記底板に区画される第１底板と第３底板は、互いに同じ大きさであるとともに、相対向する天板とそれに連設される側板および底板の一部に跨がり区画形成される鼓状の台形板は、互いに同じ大きさであることを特徴とする、請求項５又は６記載のスタンドディスプレイ用台座。
【請求項８】
前記底板に区画される第２底板は第１底板、第３底板よりも大きく区画されていることを特徴とする、請求項５、６又は７記載のスタンドディスプレイ用台座。
【発明の詳細な説明】
【０００１】
【発明の属する技術分野】
本発明は、スタンド型ディスプレイ用台座に関し、特には収納物を取り出した使用済の梱包箱を台座に再利用した環境に配慮したスタンド型ディスプレイ用台座に関する。
【０００２】
【従来の技術】
従来、スタンド型のディスプレイの梱包形態は、プラスチック製の台座、紙管のジョイント部分をはじめとする組み立て部品がダンボール製などの輸送用箱に梱包された形態であった。
そして、使用時には、輸送箱を開梱して台座をはじめとする組み立て部品をとりだし、取り出した部品を連結するなどして組み立てて店頭などに出してＰＯＰディスプレイとしていた。部品が収納されていた開梱後の輸送用箱はごみとして廃棄処分していた。
【０００３】
【発明が解決しようとする課題】
本発明は、従来開梱後はごみとして廃棄処理されていた輸送用の梱包箱を再利用した環境に配慮したスタンド型ディスプレイ用の台座を提供することを課題とする。
【０００４】
【課題を解決するための手段】
本発明の請求項１の発明は、台座と、台座の上に取り付けられる一つ又は複数個の板状柱体からなるスタンド型ディスプレイにおいて、前記台座は、前記各部品が収納されているダンボール製の梱包箱を収納物を取り出した後、組み立ててなることを特徴とする、スタンド型ディスプレイ用台座である。
【０００５】
このように請求項１記載の発明によれば、スタンド型ディスプレイを構成する台座が、前記スタンド型ディスプレイを構成している各部品が収納されていたダンボール製の梱包箱を、収納物を取り出した後、組み立てて得られたものなので、不要になった梱包箱を台座として再利用しており開梱時に梱包箱をごみとして処理する必要がない。
【０００６】
また、請求項２の発明は、請求項１の発明において、前記梱包箱は、長方形の底板の長手方向の相対向する二辺に、側板と天板とがそれぞれ折り曲げ線を介して順次連設され、もう一方の相対向する二辺に、第２側板と第２天板とがそれぞれ第２折り曲げ線を介して順次連設され、前記底板は第２折り曲げ線と平行な２本の罫線により第１底板、第２底板、第３底板に区画され、底板の中央に区画された第２底板の両隅角より側板を通過して天板の端縁にまで達する先に行くにしたがい広がるミシン目線が穿設され、ミシン目線の外側は折り込み片として区画され、底板の中央に区画される第２底板の両隅角より側板を通過して天板の略中央部分にまで達する先に行くにしたがい先細る斜め罫線が形成され、該２本の斜め罫線の先端同士は折り曲げ線と平行な第２罫線によりつながり、折り曲げ線、２本の斜め罫線、第２罫線とに囲まれた台形板が区画されるとともに、前記２本の斜め罫線の先端から天板の端縁に達する第２折り曲げ線と平行な２本の第３罫線が形成され、第２罫線から僅かに天板の端縁方向にずれた位置に第２罫線と平行で２本の第３罫線を結ぶ第４罫線が形成され、２本の第３罫線と第２罫線、第４罫線で囲まれた縁板が区画され、第４罫線と第２折り曲げ線と平行な２本の第３罫線とに囲まれた折り返し片が区画され、折り返し片には２本の第３罫線それぞれを介して差し込み片が区画され、斜め罫線とミシン目線の間は該斜め罫線に連設し、天板端縁側に曲がりミシン目線が穿設された第２差し込み片として区画され、第２側板と第２天板の端縁近傍には、第２側板と第２天板を跨ぐように折り返し片に連設された差し込み片が挿入可能な差し込み孔がミシン目線により区画され、第２天板の差し込み孔が区画された位置より外方に第２折り曲げ線と平行に第５罫線が形成され内方寄りの立脚板と外方寄りの折り返し板とに区画され、た構成からなるブランクシートを組み立て形成されることを特徴とする、請求項１記載のスタンド型ディスプレイ用台座である。
【０００７】
このように請求項２記載の発明によれば、梱包箱のブランクは、長方形の底板の長手方向の相対向する二辺に、側板と天板とがそれぞれ折り曲げ線を介して順次連設され、もう一方の相対向する二辺に、第２側板と第２天板とがそれぞれ第２折り曲げ線を介して順次連設され、前記底板は第２折り曲げ線と平行な２本の罫線により第１底板、第２底板、第３底板に区画され、底板の中央に区画された第２底板の両隅角より側板を通過して天板の端縁にまで達する先に行くにしたがい広がるミシン目線が穿設され、ミシン目線の外側は折り込み片として区画され、底板の中央に区画される第２底板の両隅角より側板を通過して天板の略中央部分にまで達する先に行くにしたがい先細る斜め罫線が形成され、該２本の斜め罫線の先端同士は折り曲げ線と平行な第２罫線によりつながり、折り曲げ線、２本の斜め罫線、第２罫線とに囲まれた台形板が区画されるとともに、前記２本の斜め罫線の先端から天板の端縁に達する第２折り曲げ線と平行な２本の第３罫線が形成され、第２罫線から僅かに天板の端縁方向にずれた位置に第２罫線と平行で２本の第３罫線を結ぶ第４罫線が形成され、２本の第３罫線と第２罫線、第４罫線で囲まれた縁板が区画され、第４罫線と第２折り曲げ線と平行な２本の第３罫線とに囲まれた折り返し片が区画され、折り返し片には２本の第３罫線それぞれを介して差し込み片が区画され、斜め罫線とミシン目線の間は該斜め罫線に連設し、天板端縁側に曲がりミシン目線が穿設された第２差し込み片として区画され、第２側板と第２天板の端縁近傍には、第２側板と第２天板を跨ぐように折り返し片に連設された差し込み片が挿入可能な差し込み孔がミシン目線により区画され、第２天板の差し込み孔が区画された位置より外方に第２折り曲げ線と平行に第５罫線が形成され内方寄りの立脚板と外方寄りの折り返し板とに区画され、た構成からなるので、拡げた梱包箱のブランクシートをミシン目線や罫線に沿って折り曲げたり切り離したりして、スタンド型ディスプレイ用の台座を作製することができる。
【０００８】
また、請求項３の発明は、請求項１又は２の発明において、前記相対向する天板に区画される各台形板、縁板、折り返し片、並びに、前記相対向する第２天板に区画される立脚板、底板に区画される第１底板と第３底板とは、互いに同じ大きさであることを特徴とする、請求項１又は２記載のスタンド型ディスプレイ用台座である。
【０００９】
このように請求項３記載の発明によれば、相対向する天板に区画される各台形板、縁板、折り返し片、並びに、前記相対向する第２天板に区画される立脚板、底板に区画される第１底板と第３底板とは、互いに同じ大きさであるので、台座は左右対称に安定した形状で作製することができ、見栄えも良い。
【００１０】
また、請求項４の発明は、請求項１、２又は３の発明において、前記底板に区画される第２底板は第１底板、第３底板よりも大きく区画されていることを特徴とするスタンド型ディスプレイ用台座である。
【００１１】
このように請求項４記載の発明によれば、底板に区画される第２底板は第１底板、第３底板よりも大きく区画されているので、台座として組み立てた際、安定した座りの良い台座となる。
【００１２】
また、請求項５の発明は、請求項１の発明において、前記梱包箱は、長方形の底板の長手方向の相対向する二辺に、側板と天板とがそれそれ折り曲げ線を介して順次連設され、もう一方の相対向する二辺に、第２側板と第２天板とがそれぞれ第２折り曲げ線を介して順次連設され、天板の中央には、天板とそれに連設される側板および底板の一部に跨がる鼓状の台形板が、くの字および逆くの字のつなぎ目線ならびに底板寄りのくの字および逆くの字のつなぎ目線の末端を結ぶ折り曲げ線と平行な第３折り曲げ線により、天板の端縁とそれに対応する底板の第３折り曲げ線を上辺および下辺として区画形成され、前記底板は、前記一対の第３折り曲げ線の先端と末端を結ぶ、第２折り曲げ線と平行な２本の第４折り曲げ線により、一方の端縁から順次、第１底板、第２底板、第３底板に区画され、第１底板および第３底板の両端縁は第２底板を区画する第３折り曲げ線より側板寄りに第３折り曲げ線と平行なつなぎ目線として第２側板および第２天板の端縁まで延長して設けられ、前記鼓状の台形板の中央には、台形板の上辺および下辺と垂直方向につなぎ目線による長孔が区画形成され、ていることを特徴とする、スタンドディスプレイ用台座である。
【００１３】
このように請求項５の発明によれば、梱包箱は、長方形の底板の長手方向の相対向する二辺に、側板と天板とがそれそれ折り曲げ線を介して順次連設され、もう一方の相対向する二辺に、第２側板と第２天板とがそれぞれ第２折り曲げ線を介して順次連設され、天板の中央には、天板とそれに連設される側板および底板の一部に跨がる鼓状の台形板が、くの字および逆くの字のつなぎ目線ならびに底板寄りのくの字および逆くの字のつなぎ目線の末端を結ぶ折り曲げ線と平行な第３折り曲げ線により、天板の端縁とそれに対応する底板の第３折り曲げ線を上辺および下辺として区画形成され、前記底板は、前記一対の第３折り曲げ線の先端と末端を結ぶ、第２折り曲げ線と平行な２本の第４折り曲げ線により、一方の端縁から順次、第１底板、第２底板、第３底板に区画され、第１底板および第３底板の両端縁は第２底板を区画する第３折り曲げ線より側板寄りに第３折り曲げ線と平行なつなぎ目線として第２側板および第２天板の端縁まで延長して設けられ、前記鼓状の台形板の中央には、台形板の上辺および下辺と垂直方向につなぎ目線による長孔が区画形成され、ているので、拡げた梱包箱のブランクシートをミシン目線やつなぎ目線に沿って折り曲げたり切り離したりして、スタンド型ディスプレイ用の台座を作製することができる。
【００１４】
また、請求項６の発明は、請求項５の発明において、前記一対の第２天板の端縁には、台座に組み立てた際、台形板に設けた長孔に対応する位置に切り欠き溝が設けられていることを特徴とする、スタンドディスプレイ用台座である。
【００１５】
このように請求項６の発明によれば、一対の第２天板の端縁には、台座に組み立てた際、台形板に設けた長孔に対応する位置に切り欠き溝が設けられているので、一対の第２天板を台形板の長孔にしっかり固定して嵌め込むことができる。
【００１６】
また、請求項７の発明は、請求項５又は６の発明において、前記底板に区画される第１底板と第３底板は、互いに同じ大きさであるとともに、相対向する天板とそれに連設される側板および底板の一部に跨がり区画形成される鼓状の台形板は、互いに同じ大きさであることを特徴とする、スタンドディスプレイ用台座である。
【００１７】
このように請求項７の発明によれば、底板に区画される第１底板と第３底板は、互いに同じ大きさであるとともに、相対向する天板とそれに連設される側板および底板の一部に跨がり区画形成される鼓状の台形板は、互いに同じ大きさであるので、台座は左右対称に安定した形状で作製することができ、見栄えも良い。
【００１８】
また、請求項８の発明は、請求項５、６又は７の発明において、前記底板に区画される第２底板は第１底板、第３底板よりも大きく区画されていることを特徴とする、スタンドディスプレイ用台座である。
【００１９】
このように請求項８の発明によれば、底板に区画される第２底板は第１底板、第３底板よりも大きく区画されているので、台座として組み立てた際、安定した座りの良い台座となる。
【００２０】
【発明の実施の形態】
本発明のスタンド型ディスプレイ用台座を一実施形態に基づいて以下に詳細に説明する。
本発明のスタンド型ディスプレイ用台座は、例えば、図１、図２に示すように、台座（２）と、台座に取り付けられる一つ又は複数個の板状柱体（３）と、該板状柱体が複数個の場合、板状柱体同士を連結する複数個の結合パーツ（図示せず）等の各部品を組み立てて成るスタンド型ディスプレイ（１）の、板状柱体（３）と結合パーツが収納されていたダンボール製の梱包箱（５）を、収納物を取り出した後、組み立てて得られたものである。
【００２１】
すなわち、先ず、梱包箱を開封して展開した梱包箱のブランクシートについて図３に基づいて詳細に説明する。
梱包箱のブランクシート（１０）は、つぎのような構成からなるものである。
長方形の底板（１１）の長手方向の相対向する二辺に、側板（１２、１２）と天板（１３、１３）とがそれぞれ折り曲げ線（ａ）を介して順次連設されている。
もう一方の相対向する二辺に、第２側板（２１、２１）と第２天板（２２、２２）とがそれぞれ第２折り曲げ線（ｂ）を介して順次連設されている。
【００２２】
そして、底板（１１）は第２折り曲げ線（ｂ）と平行な２本の罫線（ｃ、ｃ）により第１底板（１１１）、第２底板（１１２）、第３底板（１１３）に区画されている。
【００２３】
底板（１１）の中央に区画された第２底板（１１２）の両隅角より側板（１２、１２）を通過して天板（１３、１３）の端縁にまで達する先に行くにしたがい広がるミシン目線（ｄ、ｄ）が穿設され、ミシン目線（ｄ、ｄ）の外側は折り込み片（１３１、１３１）として区画されている。
【００２４】
また、底板（１１）の中央に区画される第２底板（１１２）の両隅角より側板（１２、１２）を通過して天板（１３、１３）の略中央部分にまで達する先に行くにしたがい先細る斜め罫線（ｅ、ｅ）が形成され、この２本の斜め罫線（ｅ、ｅ）の先端同士は折り曲げ線（ａ）と平行な第２罫線（ｆ）によりつながり、折り曲げ線（ａ）、２本の斜め罫線（ｅ、ｅ）、第２罫線（ｆ）とに囲まれた台形板（１３２）が区画されている。
【００２５】
そして、この２本の斜め罫線（ｅ、ｅ）の先端から天板（１３、１３）の端縁に達する第２折り曲げ線（ｂ）と平行な２本の第３罫線（ｇ、ｇ）が形成され、第２罫線（ｆ）の天板（１３、１３）端縁側には該第２罫線（ｆ）と平行な２本の第３罫線（ｇ、ｇ）を結ぶ第４罫線（ｈ）が形成され、２本の第３罫線（ｇ、ｇ）と第２罫線（ｆ）、第４罫線（ｈ）に囲まれた縁板（１３４）が区画されている。
【００２６】
また、第４罫線（ｈ）と第２折り曲げ線（ｂ）と平行な２本の第３罫線（ｇ、ｇ）とに囲まれた折り返し片（１３３）が区画されている。
【００２７】
折り返し片（１３３）には２本の第３罫線（ｇ、ｇ）それぞれを介して差し込み片（１３５、１３５）が区画されている。
【００２８】
斜め罫線（ｅ、ｅ）とミシン目線（ｄ、ｄ）の間は該斜め罫線に連設し、天板端縁側に曲がりミシン目線（ｉ）が穿設された第２差し込み片（１３６、１３６）として区画されている。
また、差し込み片（１３５、１３５）と切取り片（１３７、１３７）とはミシン目線（ｌ）を介して区画されている。
【００２９】
第２側板（２１、２１）と第２天板（２２、２２）の端縁近傍には、第２側板（２１、２１）と第２天板（２２、２２）を跨ぐように折り返し片（１３３）に連設された差し込み片（１３５、１３５）が挿入可能な差し込み孔（２２１、２２１、２２１、２２１）がミシン目線（ｊ、ｊ、ｊ、ｊ）により区画されている。
【００３０】
第２天板（２２、２２）の差し込み孔（２２１、２２１、２２１、２２１）が区画された位置より外方に第２折り曲げ線（ｂ）と平行に第５罫線（ｋ、ｋ）が形成され、内方寄りの立脚板（２２２、２２２）と外方寄りの折り返し板（２２３、２２３）とに区画されている。
【００３１】
なお、相対向する２つの天板（１３、１３）に区画される各台形板（１３２）、縁板（１３４）、折り返し片（１３３）、並びに、相対向する第２天板（２２）に区画される立脚板（２２２）、底板（１１）に区画される第１底板（１１１）と第３底板（１１３）とは、互いに同じ大きさにすることにより台座を左右対称で見栄えの良い形状に作製することができる。
【００３２】
さらに、底板（１１）に区画される第２底板（１１２）の大きさを第１底板（１１１）、第３底板（１１３）の大きさよりも大きく区画することにより、台座として組み立てた際、安定した座りの良い台座とすることができる。
【００３３】
梱包箱のブランクシート（１０）は、このような構成からなるものである。
このブランクシート（１０）を折り曲げ線（ａ）及び第２折り曲げ線（ｂ）に沿って折り曲げ、底板（１１）上に台座を除くスタンド型ディスプレイ用の部品を載置し、先に第２天板（２２、２２）を折り畳み、ついで、天板（２１、２１）を折り畳み、最後に必要個所を粘着テープ等の封止材（４）で封止して図１に示すような梱包箱（５）が形成される。
【００３４】
つぎに、この梱包箱（５）からスタンド型ディスプレイ用の台座（２）を作製する手順を図４（ａ）〜（ｅ）に基づいて説明する。
【００３５】
封止材（４）である封止テープを剥がして梱包箱（５）を開梱し収納物を取り出す（図４（ａ）参照）。
第２側板と第２天板に跨がってミシン目線（ｊ）が取り囲んでいる４つの区画を抜き取り差し込み孔（２２１）を形成させる。
ついで、ミシン目線（ｄ）や曲がりミシン目線（ｉ）、あるいは、斜め罫線（ｅ）、第２罫線（ｆ）、第３罫線（ｇ）、第４罫線（ｈ）等に沿って切ったり折り曲げたりして、天板（１３、１３）に区画された折り込み片（１３１）、台形板（１３２）、折り返し片（１３３）、縁板（１３４）、差し込み片（１３５、１３６）を形成させ、切取り片（１３７）は切り取る。
【００３６】
底板（１１）を罫線（ｃ）に沿って折り曲げ、第１底板（１１１）、第２底板（１１２）、第３底板（１１３）を形成させ、左右の折り込み片（１３１、１３１）を折り込み片に連設する側板（１２、１２）と共に第１底板（１１１）に重ねるように折り畳み、第１底板（１１１）を起こす。
【００３７】
立脚板（２２２）と折り返し板（２２３）を罫線（ｃ）、第５罫線（ｋ）に沿って折り曲げ、折り返し板（２２３）の表面と第２底板（１１２）の裏面とを接着させ、断面形状が三角形に組み立てる（図４（ｂ）、（ｃ）参照）。
【００３８】
第３底板（１１３）側も同様に折り曲げ、折り返し板（２２３）の表面と第２底板（１１２）の裏面とを接着させ、断面形状が三角形に組み立てる。
【００３９】
片方の台形板（１３２）を台形板に連設する側板（１２）と共に起こして台形板（１３２）の両端に連設されている差し込み片（１３６、１３６）を三角形の空間に挿入し、折り返し片（１３３）と縁板（１３４）を両方の立脚板（２２２）の間に嵌め込み、差し込み片（１３５、１３５）を差し込み孔（２２１、２２１）の中に差し込む（図４（ｄ）参照）。
【００４０】
もう一方の台形板（１３２）も同様にして折り返し片（１３３）縁板（１３４）を両方に立脚板（２２２）の間に嵌め込み、差し込み片（１３５、１３５）を差し込み孔（２２１、２２１）に差し込み、本発明のスタンド型ディスプレイ用台座に組み立てる。
【００４１】
この台座（２）の両方の立脚板（２２２）の間に梱包箱（５）から取り出し、別に準備しておいた複数個の板状柱体（３）を差し込むことにより図４（ｅ）に示すスタンド型ディスプレイ（１）となる。
【００４２】
図５、図６はスタンド型ディスプレイ用台座の別の実施形態を示す説明図である。この図に沿って別の実施形態を説明する。
【００４３】
すなわち、先ず、梱包箱を開封して展開した梱包箱のブランクシートについて図５に基づいて詳細に説明する。
梱包箱のブランクシート（２０）は、つぎのような構成からなるものである。
長方形の底板（１１）の長手方向の相対向する二辺に、側板（１２、１２）と天板（１３、１３）とがそれぞれ折り曲げ線（ａ）を介して順次連設されている。
もう一方の相対向する二辺に、第２側板（２１、２１）と第２天板（２２、２２）とがそれぞれ第２折り曲げ線（ｂ）を介して順次連設されている。
【００４４】
天板（１３）の中央には、天板とそれに連設する側板（１２）および底板（１１）の一部とに跨がって、くの字および逆くの字のつなぎ目線（ｍ、ｎ）ならびに底板寄りのくの字および逆くの字のつなぎ目線の末端を結ぶ、折り曲げ線（ａ）と平行な第３折り曲げ線（ｏ）とにより、天板の端縁とそれに対応する底板の第３折り曲げ線を上辺および下辺とする鼓状の台形板（１５）が区画形成されている。
【００４５】
底板（１１）は、前記一対の第３折り曲げ線（ｏ）の先端と末端を結ぶ、第２折り曲げ線（ｂ）と平行な２本の第４折り曲げ線（ｐ、ｐ）により、一方の端縁から順次、第１底板（１６）、第２底板（１７）、第３底板（１８）に区画されている。
【００４６】
第１底板（１６）および第３底板（１８）の両端縁は第２底板（１７）を区画する第３折り曲げ線（ｏ）より側板寄りに第３折り曲げ線（ｏ）と平行なつなぎ目線（ｑ）が第２側板（２１）および第２天板（２２）の端縁まで延長して設けられている。
【００４７】
一対の鼓状の台形板（１５）の中央には、台形板の上辺および下辺と垂直方向につなぎ目線（ｒ）による長孔（１９）が区画形成されている。
【００４８】
第１底板（１６）と第３底板（１８）の内側には、第２折り曲げ線（ｂ）と平行な第５折り曲げ線（ｓ、ｓ）が適宜の間隔で左右対称に設けられている。
【００４９】
また、台形板（１５）の左右に存在するくの字のつなぎ目線（ｍ）ないしは逆くの字のつなぎ目線（ｎ）とつなぎ目線（ｑ）とに囲まれた領域は切取り片（１５１）となる。
【００５０】
第２天板（２２）の端縁の、台座に組み立てた際、台形板に設けた長孔（１９）に対応する位置に切り欠き溝（２２５）を設けることにより、折り曲げた一対の第２天板（２２、２２）を台形板の長孔（１９）にしっかり固定して嵌め込むことができる。
【００５１】
なお、底板（１１）に区画される第１底板（１６）と第３底板（１８）を同じ大きさとし、相対向する天板（１３、１３）とそれに連設される側板（１２、１２）および底板（１１）の一部に跨がり区画形成される鼓状の台形板（１５、１５）を同じ大きさとすることにより、台座を左右対称で見映えの良い形状に作製することができる。
【００５２】
また、第２底板（１７）を第１底板（１６）、第３底板（１８）よりも大きく区画することにより、台座として組み立てた際、安定した座りの良い台座とすることができる。
【００５３】
さらに、第１底板（１６）と第３底板（１８）を天板寄りに伸ばして、切取り片（１５１）を狭くして、天板（１３）部分まで拡げても良い。
こうすることにより、台座に組み立てる際、第１底板（１６）と第３底板（１８）の両端を折り曲げて組み立てることができ、屋根型に組上がった台座の端面の切断面が露出せず、見映えが良くなる。
【００５４】
梱包箱のブランクシート（２０）は、このような構成からなるものである。
このブランクシート（２０）を折り曲げ線（ａ）および第２折り曲げ線（ｂ）に沿って折り曲げ、底板（１１）上に台座を除くスタンド型ディスプレイ用の部品を載置し、先に第２天板（２２、２２）を折り畳み、ついで、天板（２１、２１）を折り畳み、最後に必要個所を粘着テープ等の封止材（４）で封止して梱包箱（５）に形成することは先に述べた第１の実施形態と同様である。
【００５５】
つぎに、この梱包箱（５）からスタンド型ディスプレイ用の台座（２）を組み立てる手順を図６（ａ）〜（ｄ）に基づいて説明する。
【００５６】
封止材（４）である封止テープを剥がして梱包箱（５）を開梱して収納物を取り出す（図６（ａ）参照）。
４隅の切取り片（１５１）をくの字のつなぎ目線（ｍ）、逆くの字のつなぎ目線（ｎ）、およびつなぎ目線（ｑ）に沿って切り取ると同時に、台形板（１５）の中央に位置する長孔（１９）を、つなぎ目線（ｒ）に沿って抜き取り形成させる。
【００５７】
切取り片（１５１）を切り取ることにより形成された一対の台形板（１５、１５）を、上辺を下辺に合わせるように２つ折りするとともに第３折り曲げ線（ｏ）に沿って折り曲げて台形板を立ち上げる（図６（ｂ）参照）。
【００５８】
つぎに、２本の第２折り曲げ線（ｂ、ｂ）と第５折り曲げ線に沿って第２天板（２２）を起こすとともに、第４折り曲げ線（ｐ）に沿って第１底板（１６）を起こし、立ち上げた一対の台形板の長孔（１９）の中に差し込み、第２天板（２２）を２つ折りした台形板（１５）に固定する。こうしてスタンド型ディスプレイ用の台座（２）が形成される（図６（ｃ）参照）。
【００５９】
この成形された台座（２）の一対の第２天板の間に梱包箱（５）から取り出し、別に準備しておいた複数個の板状柱体（３）を差し込むことにより図６（ｄ）に示す、スタンド型ディスプレイ（１）となる。
板状柱体（３）の台座に差し込む側に、２つ折りした台座板（１５）の長孔（１９）に挿入可能な切り込み（ｔ）を設けておくと、板状柱体（３）は台座（２）にしっかり固定される。
【００６０】
【発明の効果】
上記のように、本発明のスタンド型ディスプレイ用台座は、下記に示す如き効果がある。
即ち、スタンド型ディスプレイ用の梱包箱を台座として使用するので、持ち運びが便利で開梱時に梱包箱をごみとして処理する必要がない。
ダンボールを使用しているので軽量で、減量化、減容化がはかれ、解体も容易で廃棄処理も簡単に行え、環境への負荷が少ない。
【図面の簡単な説明】
【図１】本発明のスタンド型ディスプレイ用台座を組み立てる前の梱包箱の一実施例を示す、斜視説明図である。
【図２】梱包箱を開梱してスタンド型ディスプレイに組み立てた状態の一実施例を示す、斜視説明図である。
【図３】梱包箱（台座）のブランクシートの一実施例を示す、平面説明図である。
【図４】梱包箱から台座を組み立てる手順の一例を示す、斜視説明図である。
【図５】梱包箱（台座）のブランクシートの別の実施例を示す、平面説明図である。
【図６】（ａ）〜（ｄ）は、図５の梱包箱から台座を組み立てる手順の一例を示す、斜視説明図である。
【符号の説明】
１‥‥スタンド型ディスプレイ
２‥‥台座
３‥‥板状柱体
４‥‥封止材
５‥‥梱包箱
１０‥‥ブランクシート
１１‥‥底板
１２‥‥側板
１３‥‥天板
１５‥‥台形板
１６‥‥第１底板
１７‥‥第２底板
１８‥‥第３底板
１９‥‥長孔
２０‥‥ブランクシート
２１‥‥第２側板
２２‥‥第２天板
１１１‥‥第１底板
１１２‥‥第２底板
１１３‥‥第３底板
１３１‥‥折り込み片
１３２‥‥台形板
１３３‥‥折り返し片
１３４‥‥縁板
１３５‥‥差し込み片
１３６‥‥第２差し込み片
１３７‥‥切取り片
１５１‥‥切取り片
２２１‥‥差し込み孔
２２２‥‥立脚板
２２３‥‥折り返し板
２２５‥‥切り欠き溝
ａ‥‥折り曲げ線
ｂ‥‥第２折り曲げ線
ｃ‥‥罫線
ｄ‥‥ミシン目線
ｅ‥‥斜め罫線
ｆ‥‥第２罫線
ｇ‥‥第３罫線
ｈ‥‥第４罫線
ｉ‥‥曲がりミシン目線
ｊ‥‥ミシン目線
ｋ‥‥第５罫線
ｌ‥‥ミシン目線
ｍ‥‥くの字のつなぎ目線
ｎ‥‥逆くの字のつなぎ目線
ｏ‥‥第３折り曲げ線
ｐ‥‥第４折り曲げ線
ｑ‥‥つなぎ目線
ｒ‥‥つなぎ目線
ｓ‥‥第５折り曲げ線
ｔ‥‥切り込み
【図１】
2004196419.tif 000003
【図２】
2004196419.tif 000004
【図３】
2004196419.tif 000005
【図４】
2004196419.tif 000006
【図５】
2004196419.tif 000007
【図６】
2004196419.tif 000008